(57)【要約】【課題】框と押縁を接合して面材の溝を形成する建具において、框と押縁の接合部が見付面に表れることがない高い意匠性を実現できる構成を提供すること。【解決手段】建具１の障子２０は、複層ガラス（面材）２５と、複層ガラス２５の端部に配置される縦框３１（縦框３２又は上框３３）と、框３０の見込方向一側に接合され、該框３０と複層ガラス２５を挟み込むガラス溝３１０溝を形成する縦押縁４１（縦押縁４２又は上押縁４３）と、を有する。縦框３１（縦框３２又は上框３３）と縦押縁４１（縦押縁４２又は上押縁４３）の接合部９０が縦枠１１（縦枠１２又は上枠１３）に見込方向で対向する位置に形成される。【選択図】図２
2019157565.tif 000002
【特許請求の範囲】
【請求項１】
枠体及び前記枠体に開閉可能に取り付けられる障子を備える建具であって、
前記障子は、
面材と、
前記面材の端部に配置される框と、
前記框の見込方向一側に接合され、該框と前記面材を挟み込む溝を形成する押縁と、
を有し、前記框と前記押縁の接合部が前記枠体に見込方向で対向する位置に形成される建具。
【請求項２】
前記枠体には、前記押縁に見込方向で接触する気密材が配置される請求項１に記載の建具。
【請求項３】
前記気密材は、前記接合部に当接し、前記框及び前記押縁の両方に見込方向で接触する位置に配置される請求項２に記載の建具。
【発明の詳細な説明】
【技術分野】
【０００１】
本発明は、開閉可能な障子を備える建具に関する。
【背景技術】
【０００２】
従来、建物の開口部に用いられる建具等において、枠体に対して開閉可能な障子のガラスを框と押し縁により保持する構造が知られている。この種の技術を開示するものとして例えば、特許文献１がある。特許文献１には、障子の下框の支持板部に複層ガラスの網入りガラスパネルを当接させ、この状態から下框に押縁を係合によって装着することにより、支持板部と押縁の挟持板部との間に構成される開口溝に複層ガラスの縁部が挟持される点が記載されている。
【先行技術文献】
【特許文献】
【０００３】
【特許文献１】特開２０１７−３１７２２号公報
【発明の概要】
【発明が解決しようとする課題】
【０００４】
框に押縁を接合する構成では、框と押縁の接合部が見付面に表れてしまう。例えば、特許文献１に記載される構成では、下框と押縁が係合される部分が線として室内側から見える構造となっている。線として外観に表れる接合部はデザイン上の制約となる。従来技術には、意匠性を向上させるという観点で改善の余地があった。
【０００５】
本発明は、框と押縁を接合して面材の溝を形成する建具において、框と押縁の接合部が見付面に表れることがない高い意匠性を実現できる構成を提供することを目的とする。
【課題を解決するための手段】
【０００６】
本発明は、枠体（例えば、後述の枠体１０）及び前記枠体に開閉可能に取り付けられる障子（例えば、後述の障子２０）を備える建具（例えば、後述の建具１）であって、前記障子は、面材（例えば、後述の複層ガラス２５）と、前記面材の端部に配置される框（例えば、後述の縦框３１，３２、上框３３）と、前記框の見込方向一側に接合され、該框と前記面材を挟み込む溝（例えば、後述のガラス溝３１０）を形成する押縁（例えば、後述の縦押縁４１，４２，上押縁４３）と、を有し、前記框と前記押縁の接合部（例えば、後述の接合部９０）が前記枠体（例えば、後述の縦枠１１，１２、上枠１３）に見込方向で対向する位置に形成される建具に関する。
【０００７】
前記枠体には、前記押縁に見込方向で接触する気密材（例えば、後述するパッキン部材１５０）が配置されることが好ましい。
【０００８】
前記気密材は、前記接合部に当接し、前記框及び前記押縁の両方に見込方向で接触する位置に配置されることが好ましい。
【発明の効果】
【０００９】
本発明の建具によれば、框と押縁の接合部が見付面に表れることがない高い意匠性を実現できる。
【図面の簡単な説明】
【００１０】
【図１】本発明の一実施形態に係る建具を示す姿図である。
【図２】本実施形態の障子の縦框、縦押縁及び縦枠の位置関係を示す横断面図である。
【図３】本実施形態の障子の縦框と縦押縁の接合部を示す拡大横断面図である。
【発明を実施するための形態】
【００１１】
以下、本発明の好ましい実施形態について、図面を参照しながら説明する。なお、本明細書において、「見付方向」とは、建物に形成された開口部に納められた建具における障子の面方向を意味し、「見込方向」とは、上記障子の厚み方向を意味する。
【００１２】
図１は、本発明の一実施形態に係る建具を示す姿図である。図１に示す建具１は、建物の開口部に固定される枠体１０と、枠体１０に開閉可能に取り付けられる障子２０と、を主要な構成として備える開き窓である。
【００１３】
枠体１０は、左右の縦枠１１，１２、上枠１３、下枠１４、が矩形に枠組みされて構成される。縦枠１１，１２、上枠１３、下枠１４の何れかには、障子２０を開閉可能にするためのヒンジ等の開閉機構（図示省略）が配置され、該開閉機構を介して障子２０が開閉可能に枠体１０に支持される。
【００１４】
障子２０は、面材として複層ガラス２５と、複層ガラス２５を囲む框３０と、框３０に嵌合固定される押縁４０と、を備える。框３０は、縦框３１，３２、上框３３、下框３４が矩形に枠組みされて構成される。以下の説明において、押縁４０のうち、縦框３１に嵌合固定されるものを縦押縁４１、縦框３２に嵌合固定されるものを縦押縁４２、上框３３に嵌合固定される上押縁４３とする。
【００１５】
図２は、本実施形態の障子２０の縦框３１、縦押縁４１及び縦枠１１の位置関係を示す横断面図であり、図１のＡ−Ａ線断面図である。
【００１６】
図２に示すように、複層ガラス２５は、室外側ガラス２５１と室内側ガラス２５２によって構成される。室外側ガラス２５１と室内側ガラス２５２の間にはスペーサ２５３が配置され、室外側ガラス２５１と室内側ガラス２５２の間に空間が形成される。
【００１７】
縦框３１は、その断面が略Ｌ字状に形成されるアルミ等の金属製の長尺部材である。縦框３１の複層ガラス２５に対向する側の見込面には、框側嵌合部３１１，３１２が形成される。框側嵌合部３１２は縦框３１の室内側端部に形成され、框側嵌合部３１１は框側嵌合部３１２に対して見込方向室外側に間隔をあけて形成される。
【００１８】
縦框３１の室内側の端部には、縦枠１１に見込方向で対向する見付面部３１５が形成される。本実施形態では、框側嵌合部３１２も見付面部３１５の一部を構成する。
【００１９】
縦押縁４１は、その断面が略Ｃ字状に形成されるアルミ等の金属製の長尺部材である。縦押縁４１は、Ｃ字の端部に相当する部分のそれぞれに押縁側嵌合部４１２，４１３が形成される。押縁側嵌合部４１２は框側嵌合部３１２に嵌合する形状に構成され、押縁側嵌合部４１３は、框側嵌合部３１１に嵌合する形状に構成される。
【００２０】
框側嵌合部３１１に押縁側嵌合部４１３が嵌合するとともに、框側嵌合部３１２に押縁側嵌合部４１２が嵌合することによって、縦押縁４１が縦框３１に接合される。なお、本明細書において、「接合」とは框３０（縦框３１，３２及び上框３３）と押縁４０（縦押縁４１，４２、上押縁４３）が嵌合、係合等によって接続されることである。
【００２１】
縦押縁４１が縦框３１に接合されることによってガラス溝３１０が形成され、該ガラス溝３１０に複層ガラス２５の端部が挟み込まれる。複層ガラス２５の端部がガラス溝３１０に挟み込まれた状態で固定され、シール部材２５４によって縦框３１と室外側ガラス２５１の隙間と縦押縁４１と室内側ガラス２５２の隙間が埋められる。
【００２２】
次に、縦枠１１について説明する。本実施形態の縦枠１１は、障子２０に見込方向で対向する部位を有する第１縦枠部材１１０と、第１縦枠部材１１０に対して建物の躯体側に位置する第２縦枠部材１２０と、からなる。第２縦枠部材１２０の室内側の端部には室内側嵌合部１２１が形成され、室外側端部において室内側を向く見付面には室外側嵌合部１２２が形成される。第１縦枠部材１１０は、室内側嵌合部１２１に嵌合する室内側嵌合部１１１及び室外側嵌合部１２２に嵌合する室外側嵌合部１１２を備え、第１縦枠部材１１０に嵌合固定される。
【００２３】
縦枠１１の第１縦枠部材１１０には、室内側で縦枠１２側に延びる延出片１１５が形成される。この延出片１１５の左右方向（見付方向）の縦枠１２側の端部には、パッキン部材１５０を嵌合するための嵌合凹部１１６が形成される。嵌合凹部１１６は、延出片１１５の室外側の見付面１１７に形成され、見込方向室外側が開口している。
【００２４】
パッキン部材１５０は、障子２０が閉鎖位置にあるときに縦枠１１と障子２０の間の隙間を塞ぐ気密材である。嵌合凹部１１６によってパッキン部材１５０が縦枠１１に保持される。パッキン部材１５０は、縦枠１１の長手方向に沿って細長く延びている。
【００２５】
図３は、本実施形態の障子２０の縦框３１と縦押縁４１の接合部９０を示す拡大横断面図であり、図２の鎖線で囲った円１００の部分を示している。
【００２６】
図３に示すように、框側嵌合部３１２は、見付面部３１５の縦枠１２側の端部に位置し、この端部から見込方向室外側に屈曲する形状に形成されている。また、押縁側嵌合部４１２は、その見付面４１５の縦枠１１側の端部から見込方向室外側に延出した後、框側嵌合部３１２を跨ぐように折り返した形状に形成される。
【００２７】
本実施形態の接合部９０は、縦押縁４１の見付面４１５の縦枠１１側の端面と、框側嵌合部３１２の見込面と、によって形成される。接合部９０は縦框３１と縦押縁４１の継ぎ目であり、縦框３１及び縦押縁４１の長手方向に沿う線として表れる。
【００２８】
閉鎖位置にある状態で、この接合部９０に嵌合凹部１１６によって保持されるパッキン部材１５０が見込方向で接触する。パッキン部材１５０は、縦枠１１の長手方向に沿って延びているので、接合部９０の全部又は略全域を覆うようにすることができる。
【００２９】
パッキン部材１５０は、縦押縁４１の室外側を向く見付面４１５の一部４１６に見込方向で接触するとともに、縦框３１の見付面部３１５の一部３１６に見込方向で接触する状態となる。
【００３０】
縦框３１と縦押縁４１の接合部９０は、パッキン部材１５０及び縦枠１１の延出片１１５に見込方向で重なっている。従って、図１に示す方向で見た場合に接合部９０が見えない位置になり、閉鎖位置の障子２０の見付面に表れない状態となる。
【００３１】
以上、縦枠１１、縦框３１及び縦押縁４１について説明してきたが、縦枠１２、縦框３２及び縦押縁４２、上枠１３、上框３３及び上押縁４３についても同様の構成である。図１に示すように、縦枠１１、縦框３１及び縦押縁４１の構成及び位置関係は、縦枠１２、縦框３２及び縦押縁４２についても左右の位置が変わるだけで同様である。縦框３２と縦押縁４２の接合部９０が縦枠１２と見込方向で対向し、室内側から接合部９０が見えない構成となっている。
【００３２】
また、上枠１３、上框３３及び上押縁４３についても、上框３３と上押縁４３の接合部９０が上枠１３と見込方向で対向し、室内側から接合部９０が見えない構成となっている。なお、下框３４は、押縁が接合されない構成となっており、下框３４のみでガラス溝を形成しているので、接合部が室内側に表れることもない。
【００３３】
上記実施形態によれば、以下のような効果を奏する。
本実施形態の建具１の障子２０は、複層ガラス（面材）２５と、複層ガラス２５の端部に配置される縦框３１（縦框３２又は上框３３）と、框３０の見込方向一側に接合され、該框３０と複層ガラス２５を挟み込むガラス溝３１０溝を形成する縦押縁４１（縦押縁４２又は上押縁４３）と、を有する。縦框３１（縦框３２又は上框３３）と縦押縁４１（縦押縁４２又は上押縁４３）の接合部９０が縦枠１１（縦枠１２又は上枠１３）に見込方向で対向する位置に形成される。
【００３４】
これにより、接合部９０が縦枠１１（縦枠１２又は上枠１３）に隠された状態となるので、接合部９０が線として表れず、意匠性が向上する。
【００３５】
また、本実施形態の縦枠１１（縦枠１２又は上枠１３）には、縦押縁４１（縦押縁４２又は上押縁４３）に見込方向で接触するパッキン部材（気密材）１５０が配置される。
【００３６】
これにより、縦框３１（縦框３２又は上框３３）と縦押縁４１（縦押縁４２又は上押縁４３）の接合部９０よりも室内側にパッキン部材１５０が位置するので、接合部９０の隙間を通じて室外側と室内側が連通しなくなり、建具１の気密性を効果的に向上させることができる。
【００３７】
また、本実施形態のパッキン部材１５０は、接合部９０に当接し、縦框３１（縦框３２又は上框３３）及び縦押縁４１（縦押縁４２又は上押縁４３）の両方に見込方向で接触する位置に配置される。
【００３８】
これにより、パッキン部材１５０が接合部９０に当接するので、縦框３１（縦框３２又は上框３３）及び縦押縁４１（縦押縁４２又は上押縁４３）との隙間を確実に塞ぐことができ、気密性をより一層向上させることができる。また、障子２０の閉鎖時に縦押縁４１（縦押縁４２又は上押縁４３）だけにパッキン部材１５０が接触する場合に比べ、パッキン部材１５０に接触したときに縦押縁４１（縦押縁４２又は上押縁４３）と縦框３１（縦框３２又は上框３３）の両方に接触時の力を分散できる。また、縦押縁４１（縦押縁４２又は上押縁４３）と縦框３１（縦框３２又は上框３３）の接合部９０を縦枠１１（縦枠１２又は上枠１３）から離した位置にすることができるので、障子２０を閉じた状態でも縦押縁４１を縦框３１に取り付ける作業を行うことができ、施工性の点でも有利である。
【００３９】
以上、本発明の好ましい実施形態について説明したが、本発明は、上述の実施形態に制限されるものではなく、適宜変更が可能である。
【００４０】
上記実施形態では、パッキン部材（気密材）１５０が縦押縁４１（縦押縁４２又は上押縁４３）と縦框３１（縦框３２又は上框３３）の両方に接触する構成であるが、この構成に限定されない。障子２０の閉鎖位置においてパッキン部材１５０が縦押縁４１（縦押縁４２又は上押縁４３）だけに接触するような構成としてもよい。この構成においても、パッキン部材１５０が接合部９０よりも室内側（見込方向一側）に位置するので、気密性を確保することができる。
【００４１】
上記実施形態では、左右の縦枠１１，１２と上枠１３の三方が縦押縁４１，４２及び上押縁４３のそれぞれの接合部９０に見込方向で対向する構成であるが、この構成に限定されない。下框３４も下押縁を備える構成とし、下枠１４が下框３４と下押縁の接合部９０に見込方向で対向するように４方全てを同様の構成とすることもできる。また、上下左右の何れか１つ又は２つを框と押縁の接合部に枠体が対向するような構成としてもよい。
【００４２】
上記実施形態では、本発明を適用する建具として開き窓を説明したが、この構成に限定されるわけではない。縦辷り窓、横辷り窓、引違い窓等、障子が框と押縁によって面材の端部を挟み込む溝を有する種々の建具に適用することができる。
【符号の説明】
【００４３】
１  建具
１０  枠体
１１，１２  縦枠
１３  上枠
２０  障子
２５  複層ガラス（面材）
３０  框
３１、３２  縦框
３３  上框
４０  押縁
４１，４２  縦押縁
４３  上押縁
９０  接合部
１５０  パッキン部材（気密材）
【図１】
2019157565.tif 000003
【図２】
2019157565.tif 000004
【図３】
2019157565.tif 000005